(57)【要約】【課題】本発明は、会議用に、複数のテーブルを平面視で矩形をなすようにレイアウトする際、そのレイアウト内で角部に使用するために、前辺が後辺よりも長寸であるテーブルにおいて、天板を脚体によりバランスよく支持することのできるテーブルを提供することを課題とする。【解決手段】テーブルの天板を、その前辺を、中央部と、該中央部よりも曲率が大である左右両側部とから構成して平面視略扇形とし、脚体のベース脚を、その前端部が後端部よりも外側方に位置し、尚且つ、前記側部の周方向ほぼ中央の部位に向かうように、前方にハの字状に拡開するように設ける。【選択図】図４
2011103977.tif 000002
【特許請求の範囲】
【請求項１】
天板の左右両側部を、前方に向かいハの字状に拡開させたベース脚と、該ベース脚から上方に向かい立設される脚柱とを備える左右一対の脚体によって支持してなるテーブルであって、
前記天板を、左右両側辺が直線状であり、尚且つ、後辺の長さに比較して長寸とした前辺が曲線状であり、前記前辺における左右両側部の曲率を、前記前辺における中央部の曲率よりも大とした平面視形状が略扇形をなすものとするとともに、前記ベース脚を、その前端部が、前記前辺における左右両側部の周方向ほぼ中央の部位に向かうように拡開させて設けたことを特徴とするテーブル。
【請求項２】
前記ベース脚を、その後端部が、前記天板の後辺における左右両側端部と、前記天板の前辺において曲率の異なる左右両側部の内側端部と中央部の外側端部との境界点となる部位とを結ぶ仮想線よりも左右外側方であって、前記後辺と前記左右両側辺との交点近傍に位置するように設けたことを特徴とする前記１に記載のテーブル。
【請求項３】
前記脚柱の左右寸法を、前記ベース脚の左右寸法よりも大としたことを特徴とする前記１または２に記載のテーブル。
【発明の詳細な説明】
【技術分野】
【０００１】
本発明は、天板の左右両側部を、前後方向のベース脚と、該ベース脚から立設される上下方向の脚柱とを備える左右一対の脚体によって支持してなるテーブルであって、特に、前記天板が、後辺の長さが前辺の長さに比較して小であり、尚且つ、前辺と後辺とを連結する左右両側辺が直線状である形状をなすことによって、複数のテーブルを対向させて平面視で矩形状をなすように並べる場合に、角部に設置することができるテーブルに関する。
【背景技術】
【０００２】
従来、会議室で多人数を集めて行われる会議で採られるテーブルのレイアウト形式として、複数のテーブルを、平面視で矩形をなすように並べる形式がある。このようなレイアウト形式は、会議の参加者が互いの顔を見ることの出来る状態で、議事を進行させることができるというメリットがある。
【０００３】
しかし、上記のようなレイアウトを行う場合、矩形の角部に相当する位置では、筆記に使用しうる面積が十分に確保できないこと、脚体が使用者の足に当たることなどから、使い勝手が悪くなるという問題がある。この問題に配慮し、天板を、前辺が後辺よりも長寸であり、尚且つ、両側辺を隣合う他のテーブルの側辺に当接しうる直線状としたテーブルが、特許文献１において開示されている。このテーブルは、前辺と後辺とがともに弧形状をなしており、長尺な前辺を外側へ、短尺な後辺を内側へ向け、尚且つ各側辺を、直交する向きに位置する二台のテーブルの側辺に当接させることで、平面視矩形のレイアウトにおいて、角部の役割を果たすことができる。
【０００４】
特許文献１において開示されているような形状を有するテーブルに対しては、脚体は、特許文献２の図７において開示されているように、天板下面における左右両側縁部近傍を支持するように設けられているのが一般的である。天板の前部における左右の脚体同士の距離は、天板の後部における左右の脚体同士の距離よりも大である。したがって、天板の前部、具体的には、両側辺の前端部同士を結ぶ仮想線より前方に突出する部位は、周方向の中央部に寄るほど、脚体による支持力が働き難い。このことから、使用方法によっては、この突出部位に上方から不意に力が加わることで、テーブル全体が倒れる可能性がある。
【０００５】
この問題に配慮し、特許文献１にて開示されているテーブルでは、天板の左右方向中間位置に中間脚を設けている。しかし、天板の左右方向の幅が小さく、１人で使用することを想定したテーブルに対しては、使用者の足に当たるなどの問題が発生するので、中間脚を設けることはできない。
【０００６】
また、本願の図６において開示されているような構造も考えられる。図６において開示したテーブル１´は、ベース脚６´、６´が、天板２´の下面における左右方向中間位置に、後辺にほぼ直交する向きで左右一対設けられている。ベース脚６´、６´同士の左右方向の間隔は、天板２´の前部から後部にかけて一定であるため、段落０００４において示唆した課題は解決することができる。しかし、ベース脚６´、６´よりも外側方の側部領域Ｓ´、Ｓ´は、ベース脚６´、６´から左右方向に大きく突出することになり、ベース脚６´、６´による支持力が働き難い。この突出した領域に対しても、使用方法によっては、上方から不意に力が加わってしまうことになり、テーブル全体が倒れる可能性がある。
【０００７】
【特許文献１】実公平０４−０２４９８１号公報
【特許文献２】特許第４３５５３８７号公報
【発明の概要】
【発明が解決しようとする課題】
【０００８】
本発明は、前辺が後辺よりも長寸であり、左右両側辺が直線状である形状をなす天板に対して、天板の前部に加わる荷重と、天板の左右側部に加わる荷重との両方に耐えうる位置に脚体を配設することによって、倒れる可能性を低減することのできるテーブルを提供することを課題とする。
【課題を解決するための手段】
【０００９】
上記課題を解決すべく、本発明の請求項１に記載の発明は、天板の左右両側部を、前方に向かいハの字状に拡開させたベース脚と、該ベース脚から上方に向かい立設される脚柱とを備える左右一対の脚体によって支持してなるテーブルであって、前記天板を、左右両側辺が直線状であり、尚且つ、後辺の長さに比較して長寸とした前辺が曲線状であり、前記前辺における左右両側部の曲率を、前記前辺における中央部の曲率よりも大とした平面視形状が略扇形をなすものとするとともに、前記ベース脚を、その前端部が、前記前辺における左右両側部の周方向ほぼ中央の部位に向かうように拡開させて設けたことを特徴とするテーブルである。
【００１０】
また、請求項２に記載の発明は、請求項１に記載のテーブルにおいて、前記ベース脚を、その後端部が、前記天板の後辺における左右両側端部と、前記天板の前辺において曲率の異なる左右両側部の内端と中央部の外端の境界点となる部位とを結ぶ仮想線よりも左右外側方であって、前記後辺と前記左右両側辺との交点近傍に位置するように設けたことを特徴とするテーブルである。
【００１１】
また、請求項３に記載の発明は、請求項１または２に記載のテーブルにおいて、前記脚柱の左右寸法を、前記ベース脚の左右寸法よりも大としたことを特徴とするテーブルである。
【発明の効果】
【００１２】
本発明の請求項１に記載の発明によれば、特許文献１のテーブルのように、ベース脚が、天板の左右両側部に沿って位置している場合に比較して、天板の前部において、ベース脚同士の左右方向の間隔を小とすることができる。このことによって、天板の前部において、脚体よりも前方に位置する部位の面積を小として、天板の前部を脚体によりバランスよく支持し、上方からの荷重によって倒れる危険性を低減することができる。この効果は、天板の前辺が、同心円の円周の一部をなす連続する円弧形状である場合と比較すると、顕著である。
【００１３】
同時に、図６にて例示しているような、ベース脚を後辺に直交する向きに配設する場合に比較して、天板の左右側部において、脚体よりも左右外側方に突出する部位の面積を小とすることができる。このことによって、天板の左右側部を脚体によりバランスよく支持し、上方からの荷重によって倒れる危険性を低減することができる。
【００１４】
また、請求項２に記載の発明によれば、ベース脚の後端部が天板の後部において、側辺寄りの部位になる。このことによって、天板の後部においては、脚体よりも外側方に突出する部位の面積を小とできるので、天板の後部から前部にかけての全体を、脚体によりバランスよく支持し、上方からの荷重によって倒れる危険性をさらに低減することができる。
【００１５】
また、請求項３に記載の発明によれば、脚柱の左右方向への開き角度が、対応するベース脚の左右方向への開き角度と異なっている場合であっても、上下方向からの荷重に対し、十分な剛性を発揮することができる。
【発明を実施するための形態】
【００１６】
以下、本発明の実施形態を、図面に基いて説明する。
図１は、本発明の一実施形態を備えるテーブル１の斜視図、図２は、同じく側面図、図３は、同じく正面図、図４、図５は、同じく底面図である。図１〜図３において明らかなように、このテーブル１は、天板２と、この天板２の下面における左右両側部を、左右一対の脚体３、３によって支持することで、床面に対して自立した状態を維持できるようになっている。
【００１７】
なお、図６は、段落０００６にて説明した通り、従来のテーブルにおいて、脚体の設けられた位置を示す底面図である。
【００１８】
まず、テーブル１全体の構成について説明する。
図１において明らかなように、天板２は、前辺２１と、後辺２２と、前辺２１と後辺２２とを連結する直線状の左右の側辺２３、２３とを備えている。前辺２１は、全体的に前方に湾曲する弧形状であり、直線状の後辺２２よりも長寸である。このことによって、天板２は、その平面視形状が略扇形をなす。なお、以下の記載において、天板２の前辺２１側をテーブル１における前方、後辺２２側をテーブル１における後方として説明する。
【００１９】
図２、および図３において明らかなように、天板２の左右側部を支持する脚体３、３は、床面に接地され、前後方向に伸びるベース脚６、６と、このベース脚６、６から立設される上下方向の脚柱５、５と、この脚柱５の上端部から前後方向に延びて天板２の下面を支持するアーム４、４とを備えている。アーム４、４、脚柱５、５、ベース脚６、６とは、いずれも、例えばアルミダイキャストのような曲げ剛性の大きな金属による成形品であり、図示しないロングボルト等の固定手段により相互に固定され、一体化されている。
【００２０】
図３、および図４において明らかなように、脚柱５、５は、ベース脚６、６の左右方向の開き角度γ（以下、単に「角度γ」と表記する）とほぼ等しい左右方向の開き角度を有して、尚且つ、所定の前傾角度α（以下、単に「角度α」と表記する）を有して前上方に傾斜して立設される。また、各々の脚柱５、５は、対応する各々のベース脚６、６よりも左右方向に広幅である。なお、角度γ、および脚柱５の左右方向の幅については、天板２の形状と、脚体３、３の角度との関係による、天板２の支持強度の向上に寄与しているが、詳細については後述する。
【００２１】
図３において明らかなように、アーム４、４は、脚柱５、５の上端部に、角度γとほぼ等しい左右方向の開き角度を有して固定される。そして、図示しないボルト等の固定部材によって、前部と後部との二箇所を、天板２の下面の左右両側部における前部と後部との二箇所に固定されている。このように、天板２とアーム４、４とが相互に固定されることによって、天板２と脚体３、３とは一体化され、テーブル１の体裁をなす。
【００２２】
図１〜図３において明らかなように、ベース脚６、６の各々の下面における前部と後部とには、接地部材７、７が配設されている。
この接地部材７、７は、例えば合成樹脂のような、ベース脚６よりも弾性のある素材により成形され、ベース脚６の下面における前部と後部とに固定されている。接地部材７、７の下面は、ベース脚６の下面よりも若干下方に位置しており、ベース脚６が床面に直接接触することによる、床面の傷みを防止するようになっている。なお、接地部材７のベース脚６への固定手段は、本発明に直接関係しないため、省略する。
【００２３】
天板２の下面における前部には、棚８が配設されている。
この棚８は、図３、および図４において明らかなように、天板２の下面から若干下方に間隔を設けて配設される棚本体８ａと、その左右側端部の固定ブラケット８ｂ、８ｂとからなり、固定ブラケット８ｂ、８ｂを、前記天板の下面における前後方向略中間位置に、図示しないボルト等の固定手段によって固定することで、天板２の下面における前後方向中間位置に配設されている。
【００２４】
天板２の下面における後部には、上方に開口する側面視上向きコ字状の配線ダクト９と、上下方向の幕板１１とが配設されている。
この幕板１１は、図２、および図３において明らかなように、天板２の下面における、後辺２２の左右側端部近傍に、図示しないボルト等の固定手段によって上部が固定された上下方向の取付ブラケット１０、１０の後面に、図示しないボルト等の固定手段によって固定されることで、天板２の後辺２２の下方を覆うように配設されている。
【００２５】
一方、配線ダクト９は、図示しないボルト等の固定手段によって、その前部を天板２の下面に固定されることによって、左右一対の取付ブラケット同士の間に位置するように配設されている。
【００２６】
上記のような構成を備えることによって、本発明のテーブル１は、天板２を脚体３、３によって支持することで、床面に対して自立させて使用することが可能である。尚且つ、天板２の上面を利用して筆記作業やパソコンの操作等を行うこと、使用しないテキスト等の物品を棚８に載置すること、配線ダクト９を利用してパソコンから延設される配線を整理すること、幕板１１によって、使用者の下肢を遮蔽し、後方から見え難くすることが可能となっている。
【００２７】
続いて、本発明の要部である、天板２の形状と、脚体３、３の配置との関係について説明する。なお、天板２の形状ならびに脚体３、３の配置は左右対称なので、図４における天板２の左側部と、対応する脚体３との関係についてのみ説明する。
【００２８】
図４において明らかなように、ベース脚６の後端部は、天板２の後辺２２の左側端部と、近傍の側辺２３との交点近傍に位置している。一方、ベース脚６の前端部は、ベース脚６の後端部よりも外側方に位置している。つまり、ベース脚６、６は、平面視で前方に向かいハの字状をなすように拡開させられて設けられている。
【００２９】
段落００１８において記載した通り、天板２の前辺２１は、後辺２２よりも長尺であり、尚且つ、全体的に前方へ湾曲する弧形状をなす。さらに詳述すると、前辺２１は、左右方向略中央に位置する中央部２１ａと、この中央部２１ａの左右側端部から延設されて側辺２３、２３の前端部に至る弧形状の側部２１ｂ、２１ｂとを備えている。
【００３０】
中央部２１ａは、側部２１ｂ、２１ｂよりも、小さな曲率を有する。なお、本実施例においては、中央部２１ａは、曲率がゼロである直線状をなしているが、側部２１ｂ、２１ｂよりも曲率が小であれば、弧形状をなしていてもよい。
【００３１】
段落００２８において記載した通り、ベース脚６の前端部は、ベース脚６の後端部よりも外側方に位置しているが、その位置は、具体的には、前辺２１の側部２１ａの周方向ほぼ中央の部位の近傍である。さらに具体的には、ベース脚６は、前端部と後端部の両方が、仮想線ｘと側辺２３により画定される、平面視形状が略扇形である側部領域Ｓにおいて、仮想線ｘから角度γだけ外側方に傾斜した、仮想線ｙに沿った状態をなすように設けられている。
【００３２】
仮想線ｘは、天板２の後辺２２の左側端部と、前辺２１における左側の側部２１ｂの右側端部（内側端部）と中央部２１ａの左側端部（外側端部）との境界点となる部位とを結んでいる。なお、本実施例では天板２の左側部についてのみ仮想線ｘを図示しているが、天板２の後辺２２の右側端部と、前辺２１における右側の側部２１ｂとの間にも、仮想線ｘと左右対称をなす仮想線と、側部領域Ｓと左右対称をなす側部領域が画定されることは言うまでもない。
【００３３】
角度γは、天板２の左右側部において、仮想線ｘと、近傍の側辺２３とによって画定される角度βよりも小でなければならない。本実施例においては、角度γは概ねβ／２に等しい角度である。
【００３４】
また、段落００２０において記載した通り、ベース脚６、６に対応するアーム４、４、および脚柱５、５も、仮想線ｘに対して角度γとほぼ等しい左右方向の開き角度を有している。
【００３５】
ベース脚６が、仮想線ｙに沿った位置をとることによって、脚体３は、天板２の側部領域Ｓにおける、周方向略中間位置を前後方向にわたって支持することになる。このことによって、側部領域Ｓにおいて、脚体３よりも外側方に突出する領域の面積は、図６において開示されている公知のテーブルと比較して、著しく小となる。ベース脚６の後端部は、後辺２２と側辺２３との交点の近傍に位置しているため、天板２の後部においては、脚体３よりも外側方へ突出する領域の面積は、極めて小さい。また、天板２の前部においても、脚体３よりも外側方へ突出する領域の面積は、側部領域Ｓのほぼ半分である。したがって、脚体３よりも外側方の部位に対して上方からの荷重が不意に加わった場合にも、天板２の左側部と脚体３とのバランスは良好に保たれ、テーブル１が倒れてしまう危険性を低減することができる。
【００３６】
また、ベース脚６、６の前端部同士の左右方向の間隔は、特許文献２のように、ベース脚６、６が天板２の側辺２３、２３に沿うように配設された場合に比較して小となる。このことによって、天板２の前部において、脚体３、３よりも前方に突出する領域の面積は、特許文献２のテーブルに比較して著しく、小となる。したがって、中央部２１ａの近傍の部位に上方からの荷重が不意に加わった場合にも、天板２と脚体３、３とのバランスは良好に保たれ、テーブル１が倒れてしまう危険性を低減することができる。
【００３７】
段落００３６において記載した効果は、特に、図５において仮想線ｚで図示される、前辺２１を、同心円の円周の一部をなす連続した円弧形状とした場合と比較すると顕著である。図５に実線で示される天板２の前部の、脚体３、３よりも前方に突出する領域の面積は、天板２の前辺２１を仮想線ｚに沿ったものとした状態よりも、大幅に小となっている。つまり、脚体３、３の支持力が働き難く、上方からの荷重に対して傾き易い部位の面積が小となっており、必然的に、テーブル１が倒れてしまう危険性を低減することができる。
【００３８】
また、脚柱５、５は、対応するベース脚６、６よりも左右方向に広幅である。この構造によって、下肢空間を拡げるなどの目的で、脚柱５、５の左右方向の開き角度を、ベース脚６の仮想線ｘに対する左右方向の開き角度γよりも大とした場合や、天板２の下面における左右方向中央部の支持強度を高める目的で、脚柱５、５の左右方向の開き角度を、角度γよりも小とした場合に、偏って加わる上方からの荷重に対し、十分な剛性を発揮することができる。
【００３９】
続いて、天板２と脚体３、３との関係を、図２を基に別の観点から説明する。
段落００２０において記載したように、各々の脚体３において、脚柱５は、角度γとほぼ同一の開き角度を有して、さらに角度αを有して前上方に立設されている。
【００４０】
脚柱５が、角度γとほぼ同一の開き角度を有して、尚且つ、角度αを有して立設されていることによって、図３において破線ａ，破線ｂにて図示されて明らかなように、脚柱５、５同士の左右方向の間隔は、後下方に向けて漸次小となる。なお、この効果は、角度αが鋭角である限りにおいて発揮される。
【００４１】
天板２は、後辺２２において最も左右方向の幅が小となる。そして、後辺２２の近傍において、脚柱５、５間の左右方向の間隔が最も小となる。つまり、脚体３、３は、天板２の左右方向の幅が最も小となる後部においては、左右方向中央部を中心に支持し、左右方向の幅が漸次大となる前部へ向けて、漸次支持領域を左右方向に拡大することになる。この構造を採ることによって、天板２の後部における左右方向中央部の領域から、側部領域Ｓにかけての全体を、バランスよく支持することができる。
【００４２】
以上の記載において説明した通り、本発明におけるテーブル１では、ベース脚６、６が、さらに好ましくはアーム４、４、および脚柱５、５を含めた脚体３、３が、天板２の側部領域Ｓにおいて、その前端部が側部２１ｂの周方向ほぼ中間部位に向かい、後辺２２の側端部と、前辺２１における近傍の側部２１ｂの内側端部と中央部２１ａの外側端部との境界点とを結ぶ仮想線ｘから、角度γ分だけ外側方に傾斜していることによって、天板２の側部領域Ｓに対する支持強度を高め、側部領域Ｓに加わる上方からの荷重を受けて倒れる危険性を低減している。
【００４３】
また、ベース脚６、６を、天板２の側辺２３、２３に沿うように配設した場合と比較して、天板２の前部において、ベース脚体６、６同士の左右間隔を小としているため、天板２の前部に加わる上方からの荷重を受けて倒れる危険性も低減している。したがって、中間脚を設ける必要が発生しないことになり、一人用のテーブルとしても使用しやすくなる。特に、前辺２１を、同心円の円周の一部をなす連続する円弧形状とした場合と比較すると、その効果は顕著である。
【００４４】
また、脚柱５、５が、ベース脚６、６の長手方向に沿った角度だけ側方に、尚且つ、角度α分だけ前上方に傾斜した状態で立設されていることによって、脚柱５、５同士の左右方向の間隔が、上方から下方に向けて漸次小となる。このことによって、前辺２１から後辺２２にかけて左右方向の幅が漸次小となる天板２において、後部では支持が必要な左右方向中央部のみを重点的に支持するとともに、脚体３、３による支持部位を、前方へ向けて漸次左右外側方寄りの部位へ拡げることができる。したがって、天板２の後部から前部にかけての全体を、バランスよく支持することができる。
【００４５】
以上のように、本発明におけるテーブル１の実施形態を説明してきたが、このテーブル１の効果は、本発明の趣旨を逸脱しない範囲であれば様々な形態で発揮されることが可能である。
【００４６】
例えば、脚体３、３の各々において、アーム４、脚柱５、そしてベース脚６とは、仮想線ｘに対してほぼ同一の左右方向の開き角度γを有しているが、角度γを有するのはベース脚６のみでよい。アーム４と脚柱５のいずれか一方、もしくは両方が、仮想線ｘや天板２の側辺２３に沿うような開き角度で配設されていても、角度γを有して天板２の側部領域Ｓの下方に位置するベース脚６が上方からの荷重に対するバランスを維持しようとするため、同様の効果を発揮しうる。また、こうした場合、段落００３８において記載した通り、脚柱５が、ベース脚６よりも左右方向に広幅であり、剛性が大であるため、脚体３全体の強度が損なわれる虞もない。
【００４７】
ベース脚６、６の左右方向の開き角度γは、本実施例では概ねβ／２となっているが、β＞γの関係が成立しており、尚且つベース脚６、６の前端部が、仮想線ｘ、および側辺２３、２３に極端に近づけず、天板２の前辺２１の側部２１ａ、２１ａの周方向ほぼ中央の部位に向かっていれば、どのような角度でもよい。たとえばγ＝β／３、γ＝２β／３、γ＝β／４、γ＝３β／４といった角度でも、天板２の側部領域Ｓを安定的に支持することが可能である。
【００４８】
また、天板２の下面に配設されている棚８、配線ダクト９、幕板１１を省略してもよい。
【図面の簡単な説明】
【００４９】
【図１】本発明のテーブルを示す斜視図である。
【図２】本発明のテーブルを示す側面図である。
【図３】本発明のテーブルを示す正面図である。
【図４】本発明のテーブルを示す底面図である。
【図５】本発明のテーブルを示す底面図である。
【図６】従来のテーブルの天板の形状と、脚体の配設状態を示す底面図である。
【符号の説明】
【００５０】
１    テーブル
１´  テーブル
２    天板
２´  天板
２１    前辺
２１´  前辺
２１ａ  中央部
２１ｂ  側部
２２    後辺
２２´  後辺
２３    側辺
２３´  側辺
３      脚体
４      アーム
５      脚柱
５´    脚柱
６      ベース脚
６´    ベース脚
７      接地部材
７´    接地部材
８      棚
８ａ    棚本体
８ｂ    取付ブラケット
９      配線ダクト
１０    取付ブラケット
１１    幕板
Ｓ      天板の側部領域
Ｓ´    天板の側部領域
【図１】
2011103977.tif 000003
【図２】
2011103977.tif 000004
【図３】
2011103977.tif 000005
【図４】
2011103977.tif 000006
【図５】
2011103977.tif 000007
【図６】
2011103977.tif 000008